(57)【要約】【課題】スケート靴を構成するヒール部と中底との止め合わせを、部品点数を徒に増やすことなく、容易かつ適切に行えるようにする。【解決手段】ヒール部２ａと中底３とが、このヒール部２ａと中底３とに貫通状態に設けられた通し穴２ｂ、３ａに外側から通されて中底３から突き出した箇所６ｄをカシメられたリベット６によって止め合わされている。リベット６は、アッパー１の吊り込み代１ａに設けられた通し穴１ｂを通って、ヒール部２ａと中底３とを止め合わせている。ヒール部２ａとソール部２ｄとは合成樹脂により一体に成形されている。【選択図】図３
2008061875.tif 000002
【特許請求の範囲】
【請求項１】
ヒール部と中底とが、このヒール部と中底とに貫通状態に設けられた通し穴に外側から通されて中底から突き出した箇所をカシメられたリベットによって止め合わされていることを特徴とするスケート靴。
【請求項２】
リベットが、アッパーの吊り込み代に設けられた通し穴を通って、ヒール部と中底とを止め合わせていることを特徴とする請求項１記載のスケート靴。
【請求項３】
ヒール部とソール部とが合成樹脂により一体に成形されていることを特徴とする請求項１又は請求項２記載のスケート靴。
【発明の詳細な説明】
【技術分野】
【０００１】
この発明は、スケート靴の改良に関する。
【背景技術】
【０００２】
従来、スケート靴Ｓの本底２を構成するヒール部２ａと中底３とは、ヒール部２ａの下面から靴釘７を打ち込んで止め合わされていた。（図６、図７）この従来の手法にあっては、靴釘７を打ち込んだ後、中底３の上面から突き出される釘先端７ａを折り曲げることを要していた。かかる靴釘７の折り曲げられた先端７ａは中底３上の突起物となり易く、また、靴釘７の先端７ａは折り曲げられた方向でしか中底３に引っかからないものであった。また、ヒール部２ａは後側に向かうに連れて上下寸法を大きくすることから、折り曲げられた靴釘７の先端７ａを前記のような突起物とさせない観点から、従来の手法では一般に長さを異ならせる４種類の靴釘を要していた。
【発明の開示】
【発明が解決しようとする課題】
【０００３】
この発明が解決しようとする主たる問題点は、スケート靴を構成するヒール部と中底との止め合わせを、部品点数を徒に増やすことなく、容易かつ適切に行えるようにする点にある。
【課題を解決するための手段】
【０００４】
前記課題を達成するために、この発明にあっては、スケート靴を、ヒール部と中底とが、このヒール部と中底とに貫通状態に設けられた通し穴に外側から通されて中底から突き出した箇所をカシメられたリベットによって止め合わされているものとした。
【０００５】
かかる構成によれば、ヒール部と中底とを同じ長さのリベットによって容易かつ適切に止め合わせることができる。ヒール部は、後側に向かうに連れて次第にその下面と上面との間のピッチを大きくするように構成されるが、リベットの頭部とカシメによる開き出し箇所との間の寸法はこのピッチに追随して変わることから、ヒール部のかかるピッチの変化に格別の配慮をすることなく同じ長さのリベットによってヒール部と中底との止め合わせをなすことができる。また、リベットの軸部の先端は前記のように放射方向に開き出され、また、リベットの先端は横方向に厚みを生じさせないように開き出させることができることから、リベットの軸部の先端をその全周に亘って中底上の突起物とならないようにした態様で強固に止め付けることができる。これにより、ヒール部と中底とをしっかりと固定してブレードと靴側とを強固に一体化させることができる。
【０００６】
前記リベットを、さらに、アッパーの吊り込み代に設けられた通し穴を通して、このリベットによってヒール部と中底とを止め合わせるようにしておくこともある。
【０００７】
このようにした場合、ヒール部の箇所においてアッパーと中底と本底とを強固に止め付け合わせることができる。
【０００８】
前記ヒール部とソール部とを合成樹脂により一体に成形させておけば、ヒール部の前側についてはリベットによる止め合わせをなさなくても支障がないようにすることができる。
【発明の効果】
【０００９】
この発明によれば、スケート靴を構成するヒール部と中底との止め合わせを、異なる長さのリベットを用意することなく、このリベットをヒール部と中底の通し穴に通した後のカシメにより、容易かつ適切に行うことができる。
【発明を実施するための最良の形態】
【００１０】
以下、図１〜図５に基づいて、この発明を実施するための最良の形態について説明する。
【００１１】
なお、ここで図１は、この発明を適用して構成されたスケート靴Ｓを底側から見た状態として、図２は、このスケート靴Ｓのかかと側を構成パーツを分離させた状態として、図３および図５は、このかかと側を断面にして、図４は、このかかと側のスケート靴Ｓの内部を上方から見た状態として、それぞれ示している。
【００１２】
この実施の形態にかかるスケート靴Ｓは、スケート靴Ｓを構成するヒール部２ａと中底３との止め合わせを、容易かつ適切にできるようにしたものである。
【００１３】
スケート靴Ｓは、アッパー１（甲被）、中底３、本底２、ブレード４を備える。中底３の上には中敷き５が敷かれる。本底２はソール部２ｄとヒール部２ａとを備える。ブレード４の上部の前後にはそれぞれ本底２に対する取り付け部４ａが形成されており、ブレード４は前側の取り付け部４ａをもってソール部２ｄのつま先側に止め付けられると共に、後側の取り付け部４ａをもってヒール部２ａに取り付けられる。ヒール部２ａの下面はソール部２ｄのつま先側の下面と略同レベルに位置されるが、ヒール部２ａの上面は後側に向かうに連れて次第に下面から離れ出す向きに傾斜しており、ヒール部２ａは後側に向かうに連れてその上下寸法を大きくするように構成される。
【００１４】
かかるスケート靴Ｓにあっては、ヒール部２ａと中底３とが、このヒール部２ａと中底３とに貫通状態に設けられた通し穴２ｂ、３ａに外側から通されて中底３から突き出した箇所６ｄをカシメられたリベット６によって止め合わされている。
【００１５】
また、かかるリベット６は、吊り込みによって内側に入れ込まされたアッパー１の吊り込み代１ａに設けられた通し穴１ｂを通って、ヒール部２ａと中底３とを止め合わせている。吊り込み代１ａはヒール部２ａの上面と中底３との間に挟み込まれる。
【００１６】
図示の例では、かかるリベット６は、円板状の頭部６ａと、棒状をなす軸部６ｂとを有している。軸部６ｂの少なくともカシメられる箇所は中空になっている。図示の例では、軸部６ｂの先端側にはこの軸部６ｂの先端において開放された中空部６ｃが形成されている。図示の例では、リベット６はこの中空部６ｃにおいてカシメられるようになっている。
【００１７】
ヒール部２ａの通し穴２ｂは、ヒール部２ａを上下に貫通するように設けられており、図示の例では、ヒール部２ａの左右両側と後部の中央とにそれぞれ設けられている。このヒール部２ａの通し穴２ｂのヒール部２ａの下面での穴径はリベット６の頭部６ａの径よりも小さくなるようになっている。
【００１８】
中底３の通し穴３ａおよびアッパー１の吊り込み代１ａの通し穴１ｂは、ヒール部２ａの対応する通し穴２ｂにそれぞれ連通するように設けられる。
【００１９】
かかるスケート靴Ｓにあっては、ヒール部２ａと中底３とを同じ長さのリベット６によって容易かつ適切に止め合わせることができる。すなわち、図示しないカシメ装置のカシメ座を中底３側に位置させるようにしてカシメ装置のハンマ部とカシメ座との間にヒール部２ａを位置づけさせた状態からハンマ部によって各通し穴１ｂ、２ｂ、３ａに通されたリベット６の頭部６ａを打撃することにより、カシメ座によりリベット６の軸部６ｂの先端をカシメて放射方向に外向きに開き出させ、これによりこのリベット６を通した箇所６ｄにおいて容易にヒール部２ａと中底３とを止め合わせることができる。ヒール部２ａは、後側に向かうに連れて次第にその下面と上面との間のピッチを大きくするように構成されるが、リベット６の頭部６ａとカシメによる開き出し箇所６ｄとの間の寸法はこのピッチに追随して変わることから、ヒール部２ａのかかるピッチの変化に格別の配慮をすることなく同じ長さのリベット６によってヒール部２ａと中底３との止め合わせをなすことができる。また、リベット６の軸部６ｂの先端は前記のように放射方向に開き出され、また、リベット６の先端は横方向に厚みを生じさせないように開き出されることから、リベット６の軸部６ｂの先端をその全周に亘って中底３上の突起物とならないようにした態様で強固に止め付けることができる。これにより、ヒール部２ａと中底３とをしっかりと固定してブレード４と靴側とを強固に一体化させることができる。
【００２０】
図示の例では、カシメ座がいわゆる菊割棒の先端の形状を持つようにしてあり、リベット６の中底３からの突き出し箇所６ｄは前記打撃により６つ〜８つ程度に分割され放射状に開かれている。
【００２１】
また、この実施の形態にかかるスケート靴Ｓにあっては、リベット６が前記アッパー１の吊り込み代１ａに設けられた通し穴１ｂにさらに通るようにしてこのリベット６によるヒール部２ａと中底３との止め付けをなしていることから、ヒール部２ａの箇所６ｄにおいてアッパー１と中底３と本底２とを強固に止め付け合わせることができる。
【００２２】
また、この実施の形態にあっては、本底２を構成するヒール部２ａとソール部２ｄとが合成樹脂により一体に成形されている。すなわち、ヒール部２ａとソール部２ｄとを持った本底２を合成樹脂により一体に成形させている。
【００２３】
この結果、この実施の形態にあっては、ヒール部２ａの前側２ｃについてはリベット６による止め合わせをなさなくても支障がないようになっている。
【図面の簡単な説明】
【００２４】
【図１】スケート靴Ｓの底面図
【図２】同要部分離斜視構成図
【図３】同要部断面構成図（前後方向での断面）
【図４】同要部平断面構成図
【図５】同要部断面構成図（左右方向での断面）
【図６】従来例の底面図
【図７】従来例の要部断面構成図（前後方向での断面）
【符号の説明】
【００２５】
Ｓ  スケート靴
２ａ  ヒール部
２ｂ  通し穴
３  中底
３ａ  通し穴
６  リベット
６ｄ  突き出した箇所
【図１】
2008061875.tif 000003
【図２】
2008061875.tif 000004
【図３】
2008061875.tif 000005
【図４】
2008061875.tif 000006
【図５】
2008061875.tif 000007
【図６】
2008061875.tif 000008
【図７】
2008061875.tif 000009